(57)【要約】【課題】気になる場所を容易に記録できる情報処理端末を提供する。【解決手段】情報処理端末の一例であるスマートフォンが実行する処理は、位置検出部からの出力に基づいて、情報処理端末の位置を検出するステップ（Ｓ６１０）と、スマートフォンのユーザの生体情報（たとえば脈波）を受信するステップ（Ｓ６２０）と、ユーザのストレスの解析処理を実行するステップ（Ｓ６３０）と、解析処理によって得られたデータを記録するステップ（Ｓ６４０）とを含む。【選択図】図６
2015160050.tif 000002
【特許請求の範囲】
【請求項１】
携帯可能な情報処理端末であって、
前記情報処理端末の位置情報を取得するように構成された位置情報取得部と、
前記情報処理端末のユーザの生体情報を取得するように構成された生体情報取得部と、
前記位置情報が取得された時に取得された生体情報と、予め設定された分類基準とに基づいて、前記生体情報が取得された場所におけるユーザのストレス度を算出するように構成された算出部と、
前記場所の位置情報と、前記算出されたストレス度とを関連付けて記録するように構成された記憶部とを備える、情報処理端末。
【請求項２】
前記ストレス度が算出された場所を地図上に表示するように構成された表示部をさらに備える、請求項１に記載の情報処理端末。
【請求項３】
前記記憶部に格納されているデータと、前記位置情報取得部によって新たに取得される位置情報とに基づいて、ユーザに、当該場所にいることを通知するように構成された通知部をさらに備える、請求項１または２に記載の情報処理端末。
【請求項４】
前記生体情報取得部は、予め設定された時間ごとに前記生体情報を取得し、
前記生体情報取得部によって取得される生体情報のレベルが変化した場合に、前記算出部は、当該ユーザの新たなストレス度を算出するように構成されている、請求項１〜３のいずれかに記載の情報処理端末。
【請求項５】
携帯可能な情報処理端末を制御するためのプログラムであって、前記情報処理端末はプロセッサとメモリとを備えており、前記プログラムは前記プロセッサに、
前記情報処理端末の位置情報を取得するステップと、
前記情報処理端末のユーザの生体情報を取得するステップと、
前記位置情報が取得された時に取得された生体情報と、予め設定された分類基準とに基づいて、前記生体情報が取得された場所におけるユーザのストレス度を算出するステップと、
前記場所の位置情報と、前記算出されたストレス度とを関連付けて前記メモリに記録するステップとを実行させる、プログラム。
【発明の詳細な説明】
【技術分野】
【０００１】
本開示は情報処理端末の制御に関し、より特定的には位置情報を取得可能な情報処理端末の制御に関する。
【背景技術】
【０００２】
位置情報を取得可能な情報処理端末が普及している。このような情報処理端末に関し、例えば、特開２００３−２２４８７７号公報（特許文献１）は、「特定位置の緯度や経度などの位置情報を利便性よく記憶し、後に自宅などで利用するための携帯型情報装置」を開示している。
【先行技術文献】
【特許文献】
【０００３】
【特許文献１】特開２００３−２２４８７７号公報
【発明の概要】
【発明が解決しようとする課題】
【０００４】
特許文献１に開示された技術によると、携帯型情報装置のユーザが操作して、特定の位置の記録を行う。そのため、ユーザの操作が必要になるため、必ずしも利便性が良いとはいえない。したがって、利便性が向上する技術が必要とされている。
【０００５】
本開示は上述のような問題点を解決するためになされたものであって、ある局面における目的は、ユーザが気にした場所を容易に記録可能な情報処理端末を提供することである。他の局面における目的は、ユーザが気にした場所を容易に記録可能となるように情報処理端末を制御するためのプログラムを提供することである。
【課題を解決するための手段】
【０００６】
一実施の形態に従う携帯可能な情報処理端末は、情報処理端末の位置情報を取得するように構成された位置情報取得部と、情報処理端末のユーザの生体情報を取得するように構成された生体情報取得部と、位置情報が取得された時に取得された生体情報と、予め設定された分類基準とに基づいて、生体情報が取得された場所におけるユーザのストレス度を算出するように構成された算出部と、場所の位置情報と、算出されたストレス度とを関連付けて記録するように構成された記憶部とを備える。
【０００７】
他の実施の形態に従うと、携帯可能な情報処理端末を制御するためのプログラムが提供される。情報処理端末はプロセッサとメモリとを備えている。プログラムはプロセッサに、情報処理端末の位置情報を取得するステップと、情報処理端末のユーザの生体情報を取得するステップと、位置情報が取得された時に取得された生体情報と、予め設定された分類基準とに基づいて、生体情報が取得された場所におけるユーザのストレス度を算出するステップと、場所の位置情報と、算出されたストレス度とを関連付けてメモリに記録するステップとを実行させる。
【発明の効果】
【０００８】
ある局面において、ユーザによる特段の操作を強いることなく、移動中に感じたストレスの度合いを容易に記録することができる。
【０００９】
この発明の上記および他の目的、特徴、局面および利点は、添付の図面と関連して理解されるこの発明に関する次の詳細な説明から明らかとなるであろう。
【図面の簡単な説明】
【００１０】
【図１】情報処理端末を有するユーザの移動の軌跡と当該ユーザの感情の変化とを表わす図である。
【図２】情報処理端末２００によって実現される機能の構成を表わすブロック図である。
【図３】情報処理端末２００がユーザによって保持された状態を表わす図である。
【図４】他の局面に従う情報処理端末４００によって実現される機能の構成を表わすブロック図である。
【図５】情報処理端末４００のサブ端末４２０がユーザに装着された状態を表わす図である。
【図６】状態監視処理部２２０によって実現される処理の一部を表わすフローチャートである。
【図７】データ記憶部２３０におけるデータの格納の一態様を概念的に表わす図である。
【図８】表示部２１０に画面（ユーザインターフェイス：ＵＩ）が表示される場合に実行される処理の一部を表わすフローチャートである。
【図９】データ記憶部２３０におけるデータの格納の一態様を表わす図である。
【図１０】情報処理端末２００を有するユーザが会場内を歩いた場合において何某かのストレスが検出された位置を表わす図である。
【図１１】情報処理端末２００のユーザが気になった場所を分類する場合の処理を表わすフローチャートである。
【図１２】プロセッサが状態監視処理部として実行する処理の一部を表わすフローチャートである。
【図１３】データ記憶部２３０におけるデータの格納の一態様を概念的に表わす図である。
【図１４】表示部２１０における画面の表示処理を表わすフローチャートである。
【図１５】表示部２１０における地図情報とストレス情報とを表わす図である。
【図１６】状態解析処理部として機能するプロセッサによって実行される処理の一部を表わすフローチャートである。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
まず、本実施の形態に係る技術思想が適用される局面について説明する。当該技術思想は携帯可能な情報処理端末を用いて実現される。携帯可能な情報処理端末は、例えば、スマートフォン、タブレット端末、パーソナルコンピュータ、ゲーム機器、デジタルカメラ等の端末であって、情報処理機能と位置情報取得機能と生体情報取得機能とを備える端末であればよい。
【００１３】
一例として、美術館、デパート、テーマパーク等のエリアにおいて、そのような情報処理端末を有するユーザは、徒歩や時には走ってエリア内を移動する。この時、当該エリア内の場所によっては、何らかの理由により、回避しながら回る場合がある。例えば、ユーザが混雑しているエリアに到達した場合、「混雑しているエリアを避けて、後で寄ろう」、あるいは「先を急いでいる為に後で戻って来よう」と考えて、そのように行動する場合がある。
【００１４】
また、何らかの理由により、ユーザの歩行が妨げられて、停止し、あるいは、停滞する場合がある。例えば、ユーザが観賞中の絵に癒されて（刺激を受けて）いる場合が考えられる。このような場合、ユーザはポジティブなストレス（好ましいストレス）を感じているともいう。
【００１５】
あるいは、鑑賞したい絵の前が混雑しており、ユーザがイライラを感じている場合がある。以下、本実施の形態では、このようなエリア（場所）を「気になる場所」ともいう。また、ユーザがイライラを感じている場合、ユーザはネガティブストレス（好ましくないストレス）を感じているともいう。
【００１６】
本実施の形態に従う情報処理端末は、そのような「気になる場所」を記録するためにユーザの移動情報（各地点の位置情報の履歴）と脈波を取得し、脈波から各地点のストレス度を求め、移動情報とストレス度とを関連付けて記録する。これにより、ユーザに負担を強いることなく、「気になる場所」をユーザに知らせることができる。
【００１７】
［技術思想］
図１を参照して、本実施の形態に係る技術思想について説明する。図１は、情報処理端末を有するユーザの移動の軌跡と当該ユーザの感情の変化とを表わす図である。
【００１８】
ある局面において、ユーザは、情報処理端末を持って、会場（例えば展示会の会場）１００を歩いている。例えば、ユーザは軌跡１１０に示されるように会場１００を歩く。点線で示された軌跡１２０は、ユーザが歩行あるいは走行した経路を表わす。
【００１９】
ある局面において、情報処理端末は、地点１３０においてユーザのストレスを検知する。例えば、展示会の会場において、地点１３０が混雑している場合、ユーザの脈波データからストレスを検知し、そのストレスがネガティブストレスであるのか、又はポジティブなストレスであるのかを判別する。図１は、情報処理端末がユーザの生体情報からネガティブストレスを検知した場合の例である。また、地点１５０においても、情報処理端末は、ユーザのネガティブなストレスを検知し得る。例えば、ユーザが一定時間ほぼ同じ位置に滞在している場合において脈波データが変化した場合、例えば、鑑賞したい展示物が混雑しており、ユーザが展示物を近くで見ることが出来ない場合、情報処理端末は、脈波データからネガティブストレスを検知する。
【００２０】
さらに、図１は、地点１４０において、ユーザは展示物に感動して立ち止まっている場合の例を表している。この時、情報処理端末は、ユーザのポジティブストレスを検知し得る。この様に、本実施の形態に係る情報処理端末によれば、「気になる場所」をユーザに知らせることができる。
【００２１】
［構成］
図２を参照して、本実施の形態に係る情報処理端末２００の構成について説明する。図２は、情報処理端末２００によって実現される機能の構成を表わすブロック図である。情報処理端末２００は、表示部２１０と、状態監視処理部２２０と、データ記憶部２３０と、ストレス解析処理部２４０と、位置検出部２５０と、計時部２６０と、生体情報入力部２７０とを備える。
【００２２】
表示部２１０は、情報処理端末２００のデータあるいは状態を表示する。表示部２１０は、液晶モニタ、有機ＥＬ（Electro  Luminescence）モニタ等によって実現される。
【００２３】
状態監視処理部２２０は、情報処理端末２００を有するユーザの状態を監視する機能であって、位置検出部２５０で取得の位置情報と、ストレス解析処理部２４０で分析された生体情報と、計時部２６０で取得の時間情報を組み合わせて、ユーザーの状態を監視する。状態監視処理部２２０は、例えば、ＣＰＵ（Central  Processing  Unit）、ＭＰＵ（Micro  Processing  Unit）その他のプロセッサによって実現される。
【００２４】
データ記憶部２３０は、情報処理端末２００に予め定められた処理を実行させる為のデータまたはプログラム及び情報処理端末２００の動作中に生成されたデータを格納する。データ記憶部２３０は、ＲＯＭ（Read-Only  Memory）、ＲＡＭ（Random  Access  Memory）、ハードディスク、フラッシュメモリ、着脱可能なメモリカード等によって実現される。他の局面において、データ記憶部２３０は、ネットワーク上に存在するクラウドストレージその他の外部記憶装置として実現されてもよい。
【００２５】
ストレス解析処理部２４０は、データ記憶部２３０に保持されているデータと、計時部２６０の時間データと、生体情報入力部２７０によって受け付けられた生体情報とに基づいて、情報処理端末２００のユーザのストレスを時系列に解析する。ストレス解析処理部２４０は、例えば、ＣＰＵ、ＭＰＵその他のプロセッサによって実現される。位置検出部２５０は、情報処理端末２００の位置を検出する。位置検出部２５０は、例えば、ＧＰＳ（Global  Positioning  System）その他の衛星測位機構、あるいは、ＷｉＦｉ（Wireless  Fidelity）その他の無線通信機構を用いて実現される。また、別の局面において、位置検出部２５０は、タグデータその他を用いて屋内測位を行う構成であってもよい。計時部２６０は、情報処理端末２００において時間を計測する。
【００２６】
生体情報入力部２７０は、情報処理端末２００の外部から情報処理端末２００を使用するユーザの生体情報の入力を受け付ける。生体情報入力部２７０は、情報処理端末２００が備えるセンサ、外部の機器から送られた生体情報を受信するための通信インターフェイス等によって実現される。
【００２７】
（ストレス判定）
ここで、本実施の形態において用いられ得るストレス判定の手法について説明する。一例として、生体情報として脈波が用いられる場合について説明する。脈派のデータは、例えばパルスオキシメータを用いて取得される。また、脈波のデータを２回微分することにより、加速度脈波が得られる。ストレスは、加速度脈波を用いて判定できる。また、脈波を用いた解析手法には、時間領域解析や周波数領域解析があるが、特に限られない。
【００２８】
なお、ストレス判定の手法は当業者にとって周知である（例えば、特開２００７−０８３０６５号公報、特開２００７−２８９５４０号公報等参照）。したがって、さらに詳細な説明は繰り返さない。また、生体情報は脈波に限られず、体温、発汗等が生体情報として用いられてもよい。
【００２９】
ある局面において、情報処理端末は、当該情報処理端末の位置情報を取得するように構成されている。情報処理端末のプロセッサは、情報処理端末のユーザの生体情報を取得する。また、プロセッサは、位置情報が取得された時に取得された生体情報と、予め設定された分類基準とに基づいて、生体情報が取得された場所におけるユーザのストレス度を算出する。プロセッサは、メモリに、当該場所の位置情報と、算出されたストレス度とを関連付けて記録する。
【００３０】
別の局面に従う情報処理端末のモニタは、ストレス度が算出された場所を地図上に表示する。
【００３１】
別の局面に従う情報処理端末は、メモリに格納されているデータと、新たに取得される位置情報とに基づいて、ユーザに、当該場所にいることを通知する。例えば、情報処理端末は、そのような通知を行うメッセージをモニタに表示する。あるいは、情報処理端末は、そのような通知のための音声、振動等を出力してもよい。
【００３２】
別の局面において、情報処理端末は、予め設定された時間ごとに生体情報を取得する。生体情報のレベルが変化した場合に、プロセッサは、当該ユーザの新たなストレス度を算出する。
【００３３】
［センサの配置］
図３を参照して、本実施の形態に係る情報処理端末２００におけるセンサの配置について説明する。図３は、情報処理端末２００がユーザによって保持された状態を表わす図である。
【００３４】
状態（Ａ）に示されるように、ある局面において、情報処理端末２００は、その筐体の側面にセンサ３１０を備える。センサ３１０は、例えば、ユーザが情報処理端末２００を把持した場合に左手の親指の腹部によって接触可能な位置に配置されている。
【００３５】
状態（Ｂ）に示されるように、別の局面において、情報処理端末２００は、その筐体の右側の側面にセンサ３２０を備える。具体的には、センサ３２０は、情報処理端末２００を把持するユーザの左手の中指によって接触可能な位置に配置されている。
【００３６】
状態（Ｃ）に示されるように、さらに別の局面において、センサ３３０は情報処理端末２００の筐体の背面に配置されてもよい。例えば、センサ３３０は、情報処理端末２００の表示部２１０が配置されている面の背面に配置され得る。
【００３７】
［他の構成］
図４を参照して、他の局面に従う情報処理端末４００の構成について説明する。図４は、他の局面に従う情報処理端末４００によって実現される機能の構成を表わすブロック図である。情報処理端末４００は、表示部２１０と、状態監視処理部２２０と、データ記憶部２３０と、ストレス解析処理部２４０と、位置検出部２５０と、計時部２６０と、通信部４１０とを備える。情報処理端末４００は、さらにサブ端末４２０と通信可能である。サブ端末４２０は、通信部４３０と、生体情報入力部４４０とを備える。
【００３８】
ある局面において、情報処理端末３００の通信部４１０と、サブ端末４２０の通信部４３０とは、ブルートゥースその他の通信手段により互いに通信可能に構成され得る。
【００３９】
サブ端末４２０は、例えば腕時計のように情報処理端末３００のユーザの体に装着可能に構成される。装着位置は、例えば、腕、耳などであるが、サブ端末４２０は、その他の部位に装着されてもよい。また、サブ端末４２０は、指輪あるいは爪に装着されるアクセサリーもしくは耳に装着されるアクセサリーに含まれていてもよい。
【００４０】
［サブ端末の使用態様］
図５を参照して、本実施の形態に係るサブ端末４２０の使用態様について説明する。図５は、情報処理端末４００のサブ端末４２０がユーザに装着された状態を表わす図である。
【００４１】
ある局面において、サブ端末４２０は、腕時計のようにユーザに装着され得る。あるいは、サブ端末４２０は、ベルトまたは時計面等に装着可能に構成されてもよい。
【００４２】
［制御構造］
図６を参照して、本実施の形態に係る情報処理端末２００の制御構造について説明する。図６は、情報処理端末２００によって実現される処理の一部を表わすフローチャートである。以下の処理は、例えば、情報処理端末２００を構成する状態監視処理部２２０やストレス解析処理部２４０によって実行される。
【００４３】
ステップＳ６１０にて、状態監視処理部２２０は、位置検出部２５０からの出力に基づいて、情報処理端末２００の位置を検出する。
【００４４】
ステップＳ６２０にて、状態監視処理部２２０は、計時部２６０から時刻情報を受信し、生体情報入力部２７０を介して時系列に入力される生体情報を受信する。生体情報は、情報処理端末２００のユーザの脈波等である。
【００４５】
ステップＳ６３０にて、ストレス解析処理部２４０は、ステップＳ６２０に取得された計時部２６０からの時刻情報と生体情報入力部２７０から受信した生体情報とを用いて、当該ユーザのストレスの解析処理を実行し、時系列に配列する。解析処理の詳細は、後述する。
【００４６】
ステップＳ６４０にて、データ記憶部２３０に、ステップＳ６１０にて位置検出部２５０によって検出された位置情報と、ストレス解析処理部２４０で生成データを時間データで整合し得られたデータを記録する。
【００４７】
ステップＳ６５０にて、状態監視処理部２２０は、処理が終わりであるか否かを判断する。処理が終わりであると判断すると（ステップＳ６５０にてＹＥＳ）、処理を終了する。そうでない場合には（ステップＳ６５０にてＮＯ）、状態監視処理部２２０は、制御をステップＳ６１０に戻す。ここで言う、処理の終わりは、ユーザー操作による終了操作のことである。
【００４８】
［データ構造］
図７を参照して、本実施の形態に係る情報処理端末２００のデータ構造について説明する。図７は、状態監視処理部２２０で生成されるデータであり、データ記憶部２３０におけるデータの格納の一態様を概念的に表わす図である。ある局面において、データ記憶部２３０は、テーブル７００を有する。テーブル７００は、時間情報７１０と、位置情報７２０と、ストレス情報７３０とを含む。
【００４９】
時間情報７１０は、情報処理端末２００の生体情報が取得された時刻である。位置情報は取得情報内に時間情報を保有している場合は、データ内の時刻を。保有していない場合は、位置情報を取得した時刻である。位置情報と生体情報はそれぞれ数の異なるデータ数であり、各々のデータを時間情報で整合し記録する。
【００５０】
位置情報７２０は、位置検出部２５０によって検出された情報処理端末２００の位置を表わす。情報処理端末２００のユーザが屋外にいる場合には、位置情報７２０は、ＧＰＳその他の衛星測位信号に基づいて取得される。ユーザが屋内にいる場合には、位置情報７２０は、Ｗｉ‐Ｆｉ、ＩＭＥＳ（Indoor  MEssaging  System）等により取得される。また、位置情報７２０に関連付けられて表示部２１０に表示される地図は、例えば、インターネットその他の通信ネットワークを介して、地図情報を提供する外部のサーバ装置から取得され得る。あるいは、別の局面において、情報処理端末２００は、地図情報を予め有していてもよい。
【００５１】
ストレス情報７３０は、ユーザのストレスを分類する。ある局面において、ストレス情報７３０は、当該ストレスがポジティブである（すなわち、当該ストレスは好ましいストレスである）ことを示すポジティブストレス情報７３１と、当該ストレスが中立であることを示す情報７３２と、当該ストレスがネガティブストレスである（すなわち、当該ストレスは好ましくないストレスである）ことを示す情報７３３とのいずれかにより示される。
【００５２】
ある局面において、情報処理端末２００の生体情報が取得されると、プロセッサは、生体情報からユーザのストレスを分類する。プロセッサは、テーブル７００に、生体情報が取得された時刻および場所と、当該分類とを関連付けて格納する。別の局面において、複数の位置情報や生体情報が取得される場合もある。この場合、状態監視処理部２２０は、位置情報と生体情報とを取得毎に時間情報を関連付けて、時系列データとしてデータ記憶部２３０に順次格納する。なお、データの格納の態様は、図７に示されるものに限られない。
【００５３】
［ストレス情報の表示］
図８〜図１０を参照して、情報処理端末２００におけるストレス情報の表示について説明する。図８は、表示部２１０に画面（ユーザインターフェイス：ＵＩ）が表示される場合に情報処理端末のプロセッサによって実行される処理の一部を表わす図である。当該処理は、例えば、プロセッサによって実現される。図９は、データ記憶部２３０におけるデータの格納の一態様を表わす図である。図１０は、情報処理端末２００を有するユーザが会場内を歩いた場合において何某かのストレスが検出された位置を表わす図である。
【００５４】
図８を参照して、ステップＳ８１０にて、プロセッサは、データ記憶部２３０からデータを読み出す。当該データは、例えば、図９に示されるテーブル９１０，９２０に保持されている。テーブル９１０，９２０の構成は、テーブル７００と同様である。すなわち、テーブル９１０は、時間情報９１１と、位置情報９１２と、ストレス情報９１３とを含む。テーブル９２０は、時間情報９２１と、位置情報９２２と、ストレス情報９２３とを含む。
【００５５】
ステップＳ８２０にて、プロセッサは、データ記憶部２３０から読み出したデータ（ストレス情報９１３，９２３）に基づいて、当該ストレスがポジティブストレスであるか、あるいは、ネガティブストレスであるかを判断する。
【００５６】
ステップＳ８３０にて、プロセッサは、ユーザインターフェイス処理を実行する。具体的には、プロセッサは、ポジティブストレスあるいはネガティブストレスに固有なアイコンその他の画像情報と当該ストレスが検出された場所を表わす位置情報とを関連付けて、表示部２１０の地図に表示する。例えば、テーブル９１０に示されるように、時刻１５：０２：００および１５：０３：００に検出された位置Ａにおけるストレスが「ネガティブ」である。そこで、図１０において画面（Ａ）として示されるように、プロセッサは、表示部２１０の位置Ａに相当する領域に、当該ストレスがネガティブストレスであることを示すアイコン１０１０を表示する。
【００５７】
あるいは、テーブル９２０に示されるように、時刻１５：０６：００〜１５：０９：００において検出された位置Ｂにおけるストレスは「ポジティブ」である。そこで、図１０において画面（Ｂ）として示されるように、プロセッサは、表示部２１０の位置Ｂに相当する領域に、当該ストレスがポジティブストレスであることを示すアイコン１０２０を表示する。
【００５８】
ステップＳ８４０にて、プロセッサは、表示処理の対象となるデータが終わりであるか否かを判断する。プロセッサは、データが終わりであると判断すると（ステップＳ８４０にてＹＥＳ）、制御を終了する。そうでない場合には（ステップＳ８４０にてＮＯ）、プロセッサは、制御をステップＳ８２０に戻す。
【００５９】
［分類表示］
図１１を参照して、本実施の形態に係る情報処理端末２００の制御構造についてさらに説明する。図１１は、情報処理端末２００のユーザが気になった場所を分類する場合の処理を表わす状態監視処理部を説明するフロー図である。なお、前述の処理と同じ処理には同一のステップ番号を付し、当該処理の説明は繰り返さない。
【００６０】
ステップＳ１１１０にて、プロセッサは、状態解析処理部として、ユーザが気になった場所における状態を解析するための処理を実行する。処理の詳細は後述する。
【００６１】
図１２および図１３を参照して、本実施の形態に係る情報処理端末２００における状態解析処理（ステップＳ１１１０）について説明する。図１２は、プロセッサが状態監視処理部として実行する処理の一部を表わすフローチャートである。図１３は、データ記憶部２３０におけるデータの格納の一態様を概念的に表わす図である。
【００６２】
状態解析処理部は、図１３の状態１３６０、速度１３７０のデータを保持し、テーブル１３００と、状態１３６０および速度１３７０から図１３の列１３４０，１３５０を生成する。状態１３６０および速度１３７０は、移動距離を大分類する為のテーブル例を表している。状態１３６０は、４種類に分類(停滞、歩行、走行、その他)し、各項目に対応するユーザーの移動速度は項目の速度１３７０に対応付けされたテーブルを表しているが、分類はあくまで例であり、これに限定されるものではない。
【００６３】
図１２に示されるように、ステップＳ１２１０にて、プロセッサは、データ記憶部２３０に格納されているデータを読み出す。ステップＳ１２１０では、状態監視処理部で生成されたテーブル１３００のデータを読み出す。
【００６４】
ステップＳ１２２０にて、プロセッサは、読みだしたデータに基づいて、ユーザがポジティブストレスまたはネガティブストレスを感じていた時間を算出する。この算出は、例えば、テーブル１３００に格納されているデータを用いて行なわれる。テーブル１３００は、時間情報１３１０と、位置情報１３２０と、ストレス情報１３３０とを含む。例えば、時刻１５：０２：００から１５：０３：００まで、ユーザは「ネガティブストレス」を感じていたことが記録されている。この場合、列１３４０に示されるように、プロセッサは、各項目（位置、ストレス情報、ストレス時間、移動距離、状態解析）の各々を導出する。ステップＳ１２２０では、１３４０で定義する項目(位置、ストレス、移動距離、状態解析)を埋めるデータを生成する。
・位置：地図の表示倍率に合わせて表示する位置のことを意味する。
・ストレス時間：図７のストレス情報７３０で規定のストレスレベルで分類の「ポジティブ」が続いた時間、「中」が続いた時間、「ネガティブ」が続いた時間をテーブル１３００から算出。
・移動距離：ネガティブが続いた距離をテーブル１３００から算出する。
・状態解析：図１３の１３６０、１３７０表で分類の状態を判定する。
【００６５】
具体的には、プロセッサは、位置Ａにおいて、ユーザは「ネガティブストレス」を「１分５９秒」間感じ、移動距離は０．０１ｋｍであり、ユーザがほとんど移動していないを表す「状態」が位置Ａで「停滞」していたことを特定する。なお、ユーザの状態１３６０は、その時の速度１３７０に応じて予め規定されている。
【００６６】
ステップＳ１２３０にて、プロセッサは、ステップＳ１２２０において得られたデータを、列１３５０に示されるように、データ記憶部２３０に保存する。ステップＳ１２３０では、データ記憶部２３０は、これらデータを時系列的に保持する。これにより、膨大なデータをユーザーが理解し易いよう、見やすい様にデータを大枠に分類し表示することが可能となる。膨大なデータを破棄するようにすれば、メモリの節約ができる。又、例えば、同じ位置に居ながら、色々なストレスを検知した場気持ちの移ろいをアイコンや色の表記で表現するという、表示を工夫することが可能となる。
【００６７】
［移動状態と気になった場所の表示］
図１４および図１５を参照して、情報処理端末２００の制御構造についてさらに説明する。図１４は、表示部２１０における画面の表示処理を表わすフローチャートである。当該処理は、たとえば、状態監視処理部２２０等として機能するプロセッサによって実行される。図１５は、表示部２１０における地図情報とストレス情報とを表わす図である。なお、図８に示される処理と同じ処理には同一のステップ番号を付し、当該処理の説明は繰り返さない。
【００６８】
ステップＳ１４２０にて、状態監視処理部２２０は、データ記憶部２３０から読み出したデータ（時間情報１３１０、位置情報１３２０、ストレス情報１３３０）に基づいて、当該ストレスがポジティブストレスであるか、あるいは、ネガティブストレスであるかを判断し、さらに、ユーザの状態解析結果を特定する。
【００６９】
ステップＳ１４３０にて、表示部２１０は、ステップＳ１４２０における分類の結果に基づいて、ユーザインターフェイスを表示する。
【００７０】
より具体的には、図１５を参照して、画面（Ａ）に示されるように、表示部２１０は、ユーザの軌跡１５１０を表示する。さらに、歩行を示す軌跡１５２０と、軌跡１５２０に含まれる地点がユーザにとって「気になった場所」であることを示すアイコン１５２１とを表示する。なお、「気になった場所」とは、一例として、ユーザが見たいのに見ることができない場合にストレスを感じた場所を示す。また、表示部２１０は、走行を示す軌跡１５３０と、軌跡１５３０に含まれる地点がユーザにとって「気になった場所」であることを示すアイコン１５３１とを表示する。さらに、表示部２１０は、ユーザが「ネガティブストレス」を感じたことを示すアイコン１５００を表示する。
【００７１】
また、画面（Ｂ）に示されるように、表示部２１０は、歩行を示す軌跡１５４０と、当該歩行がユーザにとって快適な移動であったことを示すアイコン１５４１とを表示する。また、表示部２１０は、ユーザによる走行を示す軌跡１５５０と、当該走行がユーザにとって快適な走行であったことを示すアイコン１５５１とを表示する。さらに、表示部２１０は、ある場所においてユーザが「ポジティブストレス」を感じたことを示すアイコン１５６０を表示する。
【００７２】
図１４を再び参照して、ステップＳ８４０にて、プロセッサは、表示処理の対象となるデータが終わりであるか否かを判断する。プロセッサは、データが終わりであると判断すると（ステップＳ８４０にてＹＥＳ）、制御を終了する。そうでない場合には（ステップＳ８４０にてＮＯ）、プロセッサは、制御をステップＳ１４２０に戻す。
【００７３】
図１５に表示される画面によれば、情報処理端末２００は、ユーザの移動状態と、当該ユーザが気になった場所とを合わせて表示するため、ユーザは、移動時の記憶を呼び起こしやすくなる。
【００７４】
［制御構造］
図１６を参照して、情報処理端末２００の制御構造についてさらに説明する。図１６は、状態解析処理部として機能するプロセッサによって実行される処理の一部を表わすフローチャートである。なお、図１２に示される処理と同じ処理には同一のステップ番号を付し、当該処理の説明は繰り返さない。
【００７５】
ステップＳ１６３０にて、状態解析処理部は、ステップＳ１２２０において得られたデータに基づいて、ユーザの移動とストレスの状態とを分類する。分類の処理は、例えば、ステップＳ１６４０〜１６９０のように示される。この分類は、表示を工夫する為に行なわれる。全部をプロットすることより、制限して見せる工夫、例えばポジティブに感じた時間が長い順に上位３個のみ表示、長い方がアイコンが大きいといった表示の工夫をすることができる。
【００７６】
ステップＳ１６４０にて、状態解析処理部は、ユーザがネガティブストレスを感じており、かつ、停滞していたと判断する。状態解析処理部は、時間順にリスト化し、リスト化されたデータをデータ記憶部２３０に記録する。
【００７７】
ステップＳ１６５０にて、状態解析処理部は、ユーザがネガティブストレスを感じており、かつ、歩行していたと判断する。状態解析処理部は、その判断の結果に基づいて、移動距離順にデータをリスト化し、リスト化されたデータをデータ記憶部２３０に格納する。
【００７８】
ステップＳ１６６０にて、状態解析処理部は、ユーザがネガティブストレスを感じており、かつ、走行していたと判断する。状態解析処理部は、その判断の結果に基づいて、移動距離順にデータをリスト化し、リスト化されたデータをデータ記憶部２３０に格納する。
【００７９】
ステップＳ１６７０にて、状態解析処理部は、ユーザがポジティブストレスを感じており、かつ、停止または停滞していたと判断する。状態解析処理部は、その判断の結果に基づいて、データを時間の長さ順にリスト化し、リスト化されたデータをデータ記憶部２３０に格納する。
【００８０】
ステップＳ１６８０にて、状態解析処理部は、ユーザがポジティブストレスを感じており、かつ、歩行していたと判断する。状態解析処理部は、その判断の結果に基づいて移動距離順にデータをリスト化し、リスト化されたデータをデータ記憶部２３０に格納する。
【００８１】
ステップＳ１６９０にて、状態解析処理部は、ユーザがポジティブストレスを感じており、かつ、走行していたと判断する。状態解析処理部は、その判断の結果に基づいて移動距離順にデータをリスト化し、リスト化されたデータをデータ記憶部２３０に格納する。
【００８２】
［実施の形態のまとめ］
以上のようにして、上述した各情報処理端末は、生体情報に基づくストレス度と、位置情報とを関連付けて記録する。したがって、情報処理端末のユーザが自らストレスを感じた場所を記録する手間が不要となる。
【００８３】
本実施の形態にかかる情報処理端末における処理は、当該情報処理端末のハードウェアと、プロセッサにより実行されるソフトウェアとによって実現される。このようなソフトウェアは、情報処理端末が備えるＲＯＭやフラッシュメモリその他の記憶装置に予め記憶されている場合がある。また、ソフトウェアは、インターネットに接続されている情報提供事業者によってダウンロード可能なプログラム製品として提供される場合もある。このようなソフトウェアは、記憶装置から読み取られて、あるいは、通信インターフェイスを介して情報処理端末にダウンロードされた後、ＲＡＭに格納される。そのソフトウェアを構成する各命令は、プロセッサによって実行される。
【００８４】
本実施の形態に従う情報処理端末のハードウェアの大半は、一般的なものである。したがって、本実施の形態に係る本質的な部分は、情報処理端末の記憶装置に格納されたソフトウェア、あるいはネットワークを介してダウンロード可能なソフトウェアであるともいえる。なお、情報処理端末を構成するプロセッサ、記憶装置その他のハードウェアの動作は周知であるので、それらの詳細な説明は繰り返さない。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８６】
１１０，１２０，１５１０，１５２０，１５３０，１５４０，１５５０  軌跡、１３０，１４０，１５０  地点、２００，３００，４００  情報処理端末、２１０  表示部、２２０  状態監視処理部、２３０  データ記憶部、２４０  ストレス解析処理部、２５０  位置検出部、２６０  計時部、２７０，４４０  生体情報入力部、３１０，３２０，３３０  センサ、４１０，４３０  通信部、４２０  サブ端末。
【図１】
2015160050.tif 000003
【図２】
2015160050.tif 000004
【図３】
2015160050.tif 000005
【図４】
2015160050.tif 000006
【図５】
2015160050.tif 000007
【図６】
2015160050.tif 000008
【図７】
2015160050.tif 000009
【図８】
2015160050.tif 000010
【図９】
2015160050.tif 000011
【図１０】
2015160050.tif 000012
【図１１】
2015160050.tif 000013
【図１２】
2015160050.tif 000014
【図１３】
2015160050.tif 000015
【図１４】
2015160050.tif 000016
【図１５】
2015160050.tif 000017
【図１６】
2015160050.tif 000018